(57)【要約】【課題】使用者が肩から掛けて使用する場合に使い勝手のよい採暖布の提供。【解決手段】採暖布１は、発熱体７を着脱可能に保持する発熱体保持ポケット１４、及び、発熱体７にコード９を介して接続される電源８を着脱可能に保持する電源保持ポケットを備える。発熱体収納ポケット１４は、採暖布本体２の左右方向の中間部で採暖布本体２と重なる位置において、採暖布本体２の上下方向に並べて複数配置され、電源収納ポケット１５は、発熱体収納ポケット１４と採暖布本体１５の左右方向のいずれか一方の端部との間の採暖布本体２と重なる位置に配置される。【選択図】図１
2014012906.tif 000002
【特許請求の範囲】
【請求項１】
横長の採暖布本体と、
前記採暖布本体の上下方向の中間部よりも上側かつ左右方向の両側を互いに止め合わせる止め具と、
発熱体を着脱可能に収納する発熱体収納ポケットと、
前記発熱体にコードを介して接続される電源を着脱可能に収納する電源収納ポケットと、を備える採暖布であって、
前記発熱体収納ポケットは、前記採暖布本体の左右方向の中間部で前記採暖布本体と重なる位置において、前記採暖布本体の上下方向に並べて複数配置され、
前記電源収納ポケットは、前記発熱体収納ポケットと前記採暖布本体の左右方向のいずれか一方の端部との間の前記採暖布本体と重なる位置に配置されること
を特徴とする採暖布。
【請求項２】
前記採暖布本体の一方の面を覆うカバーをさらに備え、
前記採暖布本体と前記カバーとが、互いの周縁の少なくとも一部において結合されており、
複数の前記発熱体収納ポケットと前記電源収納ポケットは、前記カバーの前記採暖布本体と対向する面に設けられていること
を特徴とする請求項１に記載の採暖布。
【請求項３】
前記採暖布本体と前記カバーとが、互いの周縁の全周にわたって結合されており、
前記カバーには、複数の前記発熱体収納ポケットを含む領域と前記電源収納ポケットを含む領域の間に切れ目が形成されているとともに、前記切れ目を開閉可能とする連結部材が取り付けられていることを特徴とする請求項２に記載の採暖布。
【請求項４】
前記電源収納ポケットは、前記採暖布本体の上下方向に並べて少なくとも２以上配置されることを特徴とする請求項２又は３に記載の採暖布。
【請求項５】
前記発熱体収納ポケット及び前記電源収納ポケットは、同数配置され、
前記発熱体収納ポケットの開口と前記電源収納ポケットの開口とが前記切れ目を挟んで互いに向き合った一対の収納部を構成することを特徴とする請求項３又は４に記載の採暖布。
【請求項６】
前記採暖布本体の上下方向において、前記採暖布本体の上端部に最も近い前記一対の収納部と前記採暖布本体の前記上端部との間の長さは、前記採暖布本体の下端部に最も近い前記一対の収納部と前記採暖布本体の前記下端部との間の長さよりも長いことを特徴とする請求項５に記載の採暖布。
【請求項７】
前記発熱体収納ポケットの開口を開閉可能とする第１開閉部材と、
前記電源収納ポケットの開口を開閉可能とする第２開閉部材と、
をさらに備えることを特徴とする請求項５又は６に記載の採暖布。
【請求項８】
発熱体と、
前記発熱体にコードを介して接続される電源と、
請求項１〜７のいずれか１項に記載の採暖布と、
を備えることを特徴とする電気採暖布。
【発明の詳細な説明】
【技術分野】
【０００１】
本発明は、身体を保温する採暖布及び電気採暖布に関する。
【背景技術】
【０００２】
身体を保温するものとして、ポリエステル繊維等からなる採暖布やこの採暖布に発熱体が設けられた電気採暖布がある。特許文献１の図１３に記載の電気採暖布は、身体の肩から掛けて使用されるもので、いわゆる肩掛けと呼ばれている。この電気採暖布は、採暖布全面に発熱体が固定して設けられており、この発熱体には、コードを介して電源である電池から電力が供給される。また、電池には、ケースの背面にフックが設けられており、このフックを使用者のベルト等に引っ掛け、ベルト等に電池を保持させることができる。
【先行技術文献】
【特許文献】
【０００３】
【特許文献１】特開昭６２−０９７５４９号公報
【発明の開示】
【発明が解決しようとする課題】
【０００４】
特許文献１の図１３に記載の電気採暖布では、採暖布と電池とがコードを介して接続されており、電池はベルト等に保持させるものであるため、肩から掛けて使用する場合に、コードが使用者の身体に引っ掛かる等、コードにより身体を動かす自由度が制限され、邪魔となる等、使い勝手が悪かった。
【０００５】
本発明の目的は、使用者が肩から掛けて使用する場合に使い勝手のよい採暖布及び電気採暖布を提供することである。
【課題を解決するための手段】
【０００６】
第１の発明に係る採暖布は、横長の採暖布本体と、前記採暖布本体の上下方向の中間部よりも上側かつ左右方向の両側を互いに止め合わせる止め具と、発熱体を着脱可能に収納する発熱体収納ポケットと、前記発熱体にコードを介して接続される電源を着脱可能に収納する電源収納ポケットと、を備える採暖布であって、前記発熱体収納ポケットは、前記採暖布本体の左右方向の中間部で前記採暖布本体と重なる位置において、前記採暖布本体の上下方向に並べて複数配置され、前記電源収納ポケットは、前記発熱体収納ポケットと前記採暖布本体の左右方向のいずれか一方の端部との間の前記採暖布本体と重なる位置に配置されることを特徴とする。
【０００７】
本発明では、発熱体を着脱可能に収納する発熱体収納ポケットが、採暖布本体の左右方向の中間部で採暖布本体と重なる位置において、採暖布本体の上下方向に並べて複数配置されている。また、電源収納ポケットは、発熱体収納ポケットと採暖布本体の左右方向のいずれか一方の端部との間の採暖布本体と重なる位置に配置されている。従って、使用者は、温めたい背中の部位に接するように、所望の発熱体収納ポケットを選択して発熱体を収納するとともに、電源収納ポケットに電源を収納して、採暖布を肩から掛け、所望の部位を選択的に温めることができる。また、採暖布を肩から掛けた状態で、発熱体が背中の略中心に位置し、電源が使用者の胸側（背中と反対側）に位置する。このように、発熱体と電源とが使用者を挟んで反対側に位置するため、バランスがよい。また、電源が背中側にあると、肩などを動かした場合に、邪魔となるが、使用者の胸側に位置するため、邪魔にならない。このように、本発明の採暖布は、肩から掛けて使用した場合に、使い勝手がよい。
【０００８】
第２の発明に係る採暖布は、第１の発明に係る採暖布において、前記採暖布本体の一方の面を覆うカバーをさらに備え、前記採暖布本体と前記カバーとが、互いの周縁の少なくとも一部において結合されており、複数の前記発熱体収納ポケットと前記電源収納ポケットは、前記カバーの前記採暖布本体と対向する面に設けられていることを特徴とする。
【０００９】
本発明では、採暖布本体と、採暖布本体の一方の面を覆うカバーと、が互いの周縁の少なくとも一部において縫い合わされており、複数の発熱体収納ポケットと電源収納ポケットとがカバーの採暖布本体と対向する面に設けられている。従って、発熱体収納ポケットに収納した発熱体が発熱体収納ポケットから出た場合でも、発熱体は採暖布本体とカバーの間に位置するため、発熱体が採暖布から落ちることを防止することができる。また、電源収納ポケットに収納した電源が電源収納ポケットから出た場合でも、電源は採暖布本体とカバーの間に位置するため、電源が採暖布から落ちることを防止することができる。また、発熱体、電源、及びコードが採暖布本体とカバーとの間にあるため、見栄えが良い。また、発熱体及び電源はカバーにより覆われているため、凹凸のある発熱体及び電源付近でも、平坦な外観となり、見栄えが良い。
【００１０】
第３の発明に係る採暖布は、第２の発明に係る採暖布において、前記採暖布本体と前記カバーとが、互いの周縁の全周にわたって結合されており、前記カバーには、複数の前記発熱体収納ポケットを含む領域と前記電源収納ポケットを含む領域の間に切れ目が形成されているとともに、前記切れ目を開閉可能とする連結部材が取り付けられていることを特徴とする。
【００１１】
本発明によれば、カバーには、複数の発熱体収納ポケットと重なる領域と電源収納ポケットとの間に切れ目が形成されているので、発熱体及び電源の着脱作業、並びに、発熱体及び電源を収納するポケットの変更（入れ替え）作業をこの切れ目を介して容易に行うことができるようになる。また、カバーには切れ目を開閉可能とする連結部材が取り付けられているので、前記着脱作業及び前記変更作業を行うとき以外には切れ目を閉じておくようにすれば、採暖布使用時に使用者から発熱体及び／又は電源が見えてしまうといった美観を損なう事態が生じることがない。
【００１２】
第４の発明に係る採暖布は、第２又は第３の発明に係る採暖布において、前記電源収納ポケットは、前記採暖布本体の上下方向に並べて少なくとも２以上配置されることを特徴とする。
【００１３】
本発明では、電源収納ポケットが、採暖布本体の上下方向に並べて少なくとも２以上配置されているから、発熱体収納ポケットに発熱体を収納するとともに、電源収納ポケットに電源を収納して、採暖布の採暖布本体が使用者の背中の略中心となるよう、肩から掛けて使用する場合に、所望の位置の電源収納ポケットを選択して電源を収納させることができ、使い勝手が良い。
【００１４】
第５の発明に係る採暖布は、第３又は第４の発明に係る採暖布において、前記発熱体収納ポケット及び前記電源収納ポケットは、同数配置され、前記発熱体収納ポケットの開口と前記電源収納ポケットの開口とが前記切れ目を挟んで互いに向き合った一対の収納部を構成することを特徴とする。
【００１５】
本発明では、発熱体収納ポケットの開口と電源収納ポケットの開口とが切れ目を挟んで互いに向き合った一対の収納部を構成しているため、発熱体及び電源の着脱が容易であるとともに、発熱体及び電源が一対の収納部に収納された状態で、コードをおおよそ直線状に短くすることができ、コードが取り扱いやすい。
【００１６】
第６の発明に係る採暖布は、第５の発明に係る採暖布において、前記採暖布本体の上下方向において、前記採暖布本体の上端部に最も近い前記一対の収納部と前記採暖布本体の前記上端部との間の長さは、前記採暖布本体の下端部に最も近い前記一対の収納部と前記採暖布本体の前記下端部との間の長さよりも長いことを特徴とする。
【００１７】
本発明では、採暖布本体の上下方向において、採暖布本体の上端部に最も近い一対の収納部と採暖布本体の上端部との間の長さが、採暖布本体の下端部に最も近い一対の収納部と採暖布本体の下端部との間の長さよりも長い。従って、使用者が肩から採暖布を掛けると、最も頭に近い発熱体収納ポケットに発熱体を収納した場合に、頭から発熱体の距離があるため、首筋を局所的に温めて不快感を抱かせることなく、効果的に背筋が発熱体により温められる。
【００１８】
第７の発明に係る採暖布は、第５又は第６の発明に係る採暖布において、前記発熱体収納ポケットの開口を開閉可能とする第１開閉部材と、前記電源収納ポケットの開口を開閉可能とする第２開閉部材と、をさらに備えることを特徴とする。
【００１９】
本発明によれば、第１開閉部材により、発熱体収納ポケットの開口が開閉可能となっているため、発熱体収納ポケットの開口を開いて、発熱体収納ポケットに発熱体を収納し、発熱体収納ポケットの開口を閉じれば、発熱体収納ポケットから発熱体が出ることが防止される。また、第２開閉部材により、電源収納ポケットの開口が開閉可能となっているため、電源収納ポケットの開口を開いて、電源収納ポケットに電源を収納し、電源収納ポケットの開口を閉じれば、電源収納ポケットから電源が出ることが防止される。
【００２０】
第８の発明に係る電気採暖布は、発熱体と、前記発熱体にコードを介して接続される電源と、第１〜第７の発明に係るいずれか１の採暖布と、を備えることを特徴とする。
【００２１】
本発明では、発熱体を着脱可能に収納する発熱体収納ポケットが、採暖布本体の左右方向の中間部で採暖布本体と重なる位置において、採暖布本体の上下方向に並べて複数配置されている。また、電源収納ポケットは、発熱体収納ポケットと採暖布本体の左右方向のいずれか一方の端部との間の採暖布本体と重なる位置に配置されている。従って、使用者は、温めたい背中の部位に接するように、所望の発熱体収納ポケットを選択して発熱体を収納するとともに、電源収納ポケットに電源を収納して、電気採暖布とし、採暖布を肩から掛け、所望の部位を選択的に温めることができる。また、採暖布を肩から掛けた状態で、発熱体が背中の略中心に位置し、電源が使用者の胸側（背中と反対側）に位置する。このように、発熱体と電源とが使用者を挟んで反対側に位置するため、バランスがよい。また、電源が背中側にあると、肩などを動かした場合に、邪魔となるが、使用者の胸側に位置するため、邪魔にならない。このように、本発明の採暖布は、肩から掛けて使用した場合に、使い勝手がよい。
【発明の効果】
【００２２】
本発明では、発熱体を着脱可能に収納する発熱体収納ポケットが、採暖布本体の左右方向の中間部で採暖布本体と重なる位置において、採暖布本体の上下方向に並べて複数配置されている。また、電源収納ポケットは、発熱体収納ポケットと採暖布本体の左右方向のいずれか一方の端部との間の採暖布本体と重なる位置に配置されている。従って、使用者は、温めたい背中の部位に接するように、所望の発熱体収納ポケットを選択して発熱体を収納するとともに、電源収納ポケットに電源を収納して、採暖布を肩から掛け、所望の部位を選択的に温めることができる。また、採暖布を肩から掛けた状態で、発熱体が背中の略中心に位置し、電源が使用者の胸側（背中と反対側）に位置する。このように、発熱体と電源とが使用者を挟んで反対側に位置するため、バランスがよい。また、電源が背中側にあると、肩などを動かした場合に、邪魔となるが、使用者の胸側に位置するため、邪魔にならない。このように、本発明の採暖布は、肩から掛けて使用した場合に、使い勝手がよい。
【図面の簡単な説明】
【００２３】
【図１】本発明の実施形態に係る採暖布を表面側から見た斜視図である。
【図２】本発明の実施形態に係る採暖布を裏面側から見た斜視図である。
【図３】採暖布本体の斜視図である。
【図４】カバーの斜視図である。
【図５】発熱体及び電源の斜視図である。
【図６】本発明の実施形態に係る電気採暖布を表面側から見た斜視図である。
【図７】変形例に係る電気採暖布を表面側から見た斜視図である。
【発明を実施するための形態】
【００２４】
以下、本発明の好適な実施形態について説明する。
【００２５】
図１は、本発明の実施形態に係る採暖布を表面側から見た斜視図、図２は、本発明の実施形態に係る採暖布を裏面側から見た斜視図である。なお、図１及び図２において、採暖布の表裏、採暖布の使用状態における上下、左右の各方向が定義されている。採暖布１は、図１及び図２に示すように、採暖布本体２と、カバー３と、を備え、使用者が肩から背中に掛けて使用する肩掛けとして構成されるものである。
【００２６】
採暖布本体２は、図３にも示すように、横長（略長方形状）に形成されており、中心線ＣＬ１に対して略線対称な形状となっている。大きさとしては、左右方向（長手方向）の長さが例えば１２００〜１６００ｍｍ、上下方向（短手方向）の長さが例えば７５０〜９５０ｍｍ程度とされている。また、採暖布本体２は、例えばポリエステル繊維で形成されている。採暖布本体２には、採暖布本体２の上下方向（短手方向）の中間部よりも上側（一端部側）かつ左右方向（長手方向）の両側を互いに止め合わせる止め具２３が設けられている。具体的には、止め具２３のボタン４は、採暖布本体２の上端部（一端部）の所定位置に設けられている。また、ボタンループ５は、採暖布本体２に設けられたボタン４と中心線ＣＬ１に対して略線対称な位置に設けられている。使用者は、採暖布１をボタン４とボタンループ５が設けられた側の上端部（一端部）を上方、すなわち、頭側にして、肩から掛け、ボタン４にボタンループ５を係合させることにより、採暖布１が肩から落ちないようにすることができる。
【００２７】
カバー３は、図４にも示すように、採暖布本体２と略同一の大きさで横長（略長方形状）に形成されている。また、カバー３は、例えば綿で形成されている。採暖布本体２とカバー３とが互いの周縁の全周にわたって糸６で縫い合わされることにより、採暖布１が形成され、カバー３が採暖布本体２の一方の面（裏面）を覆うようになる。
【００２８】
採暖布１は、後述する一対の収納部１６において、図５に示す発熱体７及び発熱体７にコード９を介して接続される電源８を収納可能となっており、何れかの一対の収納部１６に、発熱体７及び電源８が収納されることにより、電気採暖布１００（図６参照）となる。以下、発熱体７及び電源８について説明する。
【００２９】
発熱体７は、横長（略長方形状）のフィルムの内部に、４つのヒータ１０が設けられたものである。ヒータ１０は、その左右方向（長手方向）が発熱体７の左右方向（長手方向）と略平行に配置され、左右方向（長手方向）に直交する中心線から左右方向（長手方向）に離間して２つずつ並べて配置されている。発熱体７には、その短辺から突出するようにコード９が接続されており、コード９の先端には、ＢタイプのＵＳＢコネクタ１１が接続されている。ＵＳＢコネクタ１１及びコード９を介して電源８から供給される電力により、ヒータ１０が発熱する。
【００３０】
電源８は、略直方体状の樹脂からなる筐体の内部に、リチウムイオン電池が内蔵されたものである。また、電源８には、一側面に、ＢタイプのＵＳＢコネクタ１１を着脱可能なＢタイプのＵＳＢソケット１２が設けられている。ＵＳＢソケット１２に発熱体７のＵＳＢコネクタ１１が接続されると、ＵＳＢコネクタ１１及びコード９を介して、発熱体７に電力が供給される。また、電源８には、ＢタイプのＵＳＢソケット１２と同じ側面に、ＡタイプのＵＳＢコネクタを着脱可能なＡタイプのＵＳＢソケット１３が設けられている。ＵＳＢソケット１３に家庭用コンセント（不図示）に接続されたＡＣアダプタ（不図示）のＡタイプのＵＳＢコネクタが接続されると、電源８に内蔵されているリチウムイオン電池が充電される。
【００３１】
以下、カバー３について詳述する。図１〜図４に示すように、カバー３には、発熱体７を着脱可能に収納する発熱体収納ポケット１４、及び、発熱体７にコード９を介して接続される電源８を着脱可能に収納する電源収納ポケット１５からなる一対の収納部１６が複数（本実施形態では３つ）設けられている。すなわち、本実施形態では、発熱体収納ポケット１４及び電源収納ポケット１５は、同数配置されており、電源収納ポケット１５は、少なくとも２以上配置されている。
【００３２】
発熱体収納ポケット１４は、カバー３の表面に、横長（略長方形状）のシートが開口１４ａを除く３辺の周縁が縫い合わされて形成されたポケットである。シートの素材としては、保温性のある素材、例えば、ポリエステル繊維であるポリエステルトリコット起毛やポリフェニンサルファイド繊維が挙げられる。発熱体収納ポケット１４は、中心線ＣＬ２に対して線対称な略長方形状となっている。発熱体収納ポケット１４の左右方向（長手方向）とカバー３の左右方向（長手方向）とは、略平行となっている。また、発熱体収納ポケット１４は、カバー３が採暖布本体２に縫い合わされ採暖布１となった状態で、採暖布本体２の左右方向（長手方向）の中間部で採暖布本体２と重なる位置において、採暖布本体２の上下方向（短手方向）に並べて、カバー３の表面に配置されている。具体的には、発熱体収納ポケット１４は、発熱体収納ポケット１４の中心線ＣＬ２と採暖布本体２の中心線ＣＬ１が一致するように、カバー３の表面に配置されている。また、発熱体収納ポケット１４の大きさは、内部に発熱体７を収容可能な程度となっている。発熱体収納ポケット１４の開口１４ａの略中心には、発熱体収納ポケット１４の開口１４ａを開閉可能とするボタン１７（第１開閉部材）が内部に設けられている。使用者は、ボタン１７の係合を外して、発熱体収納ポケット１４の開口１４ａを開き、発熱体収納ポケット１４の開口１４ａから発熱体７を発熱体収納ポケット１４に挿入し、ボタン１７を係合させて、発熱体収納ポケット１４の開口１４ａを閉じて、発熱体７を発熱体収納ポケット１４に収納することができる。
【００３３】
電源収納ポケット１５は、カバー３の表面に、横長（略長方形状）のシートが開口１５ａを除く３辺の周縁が縫い合わされて形成されたポケットである。電源収納ポケット１５は、カバー３が採暖布本体２に縫い合わされ採暖布１となった状態で、発熱体収納ポケット１４と採暖布本体２の左右方向（長手方向）のいずれか一方の端部（本実施形態では左短部）との間の採暖布本体２と重なる位置に、カバー３の表面に配置されている。具体的には、電源収納ポケット１５は、発熱体収納ポケット１４と採暖布本体２の左右方向（長手方向）のいずれか一方の端部（本実施形態では左端部）との中間部よりもいずれか一方の端部側（本実施形態では左端部側）の採暖布本体２と重なる位置において、採暖布本体２の上下方向（短手方向）に並べて少なくとも２以上（本実施形態では３つ）、カバー３の表面に配置されている。また、電源収納ポケット１５は、その開口１５ａが発熱体収納ポケット１４の開口１４ａと互いに向き合う位置に配置されており、発熱体収納ポケット１４の上下方向（短手方向）に直交する中心線と、電源収納ポケット１５の上下方向（短手方向）に直交する中心線とは、略同一線上に位置する。また、電源収納ポケット１５の左右方向（長手方向）とカバー３の左右方向（長手方向）とは、略平行となっている。また、電源収納ポケット１５は、発熱体収納ポケット１４との距離Ｌ３が、コード９よりも短いが、コード９と略同じ長さとなるように配置されている。また、電源収納ポケット１５の大きさは、内部に電源８を収容可能な程度となっている。電源収納ポケット１５の開口１５ａには、電源収納ポケット１５の開口１５ａを開閉可能とする面ファスナー１８（第２開閉部材）が内部に設けられている。使用者は、面ファスナー１８の係合を外して、電源収納ポケット１５の開口１５ａを開き、電源収納ポケット１５の開口１５ａから電源８を電源収納ポケット１５に挿入し、面ファスナー１８を係合させて、電源収納ポケット１５の開口１５ａを閉じて、電源８を電源収納ポケット１５に収納することができる。
【００３４】
発熱体収納ポケット１４及び電源収納ポケット１５からなる一対の収納部１６は、発熱体収納ポケット１４と電源収納ポケット１５とを結ぶ方向である対向方向における位置が互いに同じとなるように互いに平行に配置されている。すなわち、３つの発熱体収納ポケット１４の左右方向（長手方向）と直交する３つの中心線ＣＬ２は略同一線上に位置するとともに、３つの電源収納ポケット１５の左右方向（長手方向）と直交する３つの中心線は略同一線上に位置し、発熱体収納ポケット１４の左右方向（長手方向）が互いに平行になるとともに、電源収納ポケット１５の左右方向（長手方向）が互いに平行となるよう配置されている。また、一対の収納部１６は、等間隔に、すなわち、発熱体収納ポケット１４どうしの間隔Ｌ４が等しく、また、電源収納ポケット１５どうしの間隔Ｌ５が等しくなるよう配置されている。また、一対の収納部１６は、採暖布本体２の上下方向（短手方向）において、カバー３が採暖布本体２に縫い合わされた採暖布１となった状態で、採暖布本体２の上端部（一端部）に最も近い一対の収納部１６と採暖布本体２の上端部（一端部）との間の長さＬ１は、採暖布本体２の下端部（他端部）に最も近い一対の収納部１６と採暖布本体２の下端部（他端部）との間の長さＬ２よりも長くなっている。
【００３５】
また、カバー３には、３つの発熱体収納ポケット１４を含む領域と３つの電源収納ポケット１５を含む領域との間に切れ目１９が形成されている。具体的には、切れ目１９は、３つの発熱体収納ポケット１４と３つの電源収納ポケット１５との間の所定の位置に、カバー３の上端部（一端部）近傍から下端部（一端部）近傍にわたって上下方向（短手方向）に略平行に設けられている。また、この切れ目１９には、切れ目１９を開閉可能とするスライドファスナー２０（連結部材）が設けられている。具体的には、切れ目１９の両側のカバー３にスライドファスナー２０のエレメント２１が縫い付けられており、このエレメント２１上を摺動してエレメント２１の連結及び連結を解除するスライドファスナー２０のスライダー２２がエレメント２１上に設けられている。スライダー２２は、カバー３の裏面上に位置する（図２参照）。スライダー２２がエレメント２１上を摺動することにより、切れ目１９が開閉可能となる。使用者は、カバー３が採暖布本体２に縫い合わされ採暖布１となった状態で、採暖布１の裏面側から、スライダー２２を操作して切れ目１９を開いて、カバー３の表面に配置されている何れかの発熱体収納ポケット１４に発熱体７を、対向する電源収納ポケット１５に電源８を収納することができる。また、何れかの発熱体収納ポケット１４に発熱体７を、対向する電源収納ポケット１５に電源８を保持させた後に、スライダー２２を操作して切れ目１９を閉じることができる。なお、発熱体収納ポケット１４の開口１４ａと電源収納ポケット１５の開口１５とは、スライドファスナー２０を挟んで互いに向き合っている。
【００３６】
以上のように構成された採暖布本体２とカバー３とで採暖布１が形成される。すなわち、採暖布本体２の裏面とカバー３の表面とを、位置が一致するよう対向させ、互いの周縁の全周にわたって糸６で縫い合わせることにより、採暖布１が形成される。そして、何れかの発熱体収納ポケット１４に発熱体７が、対向する電源収納ポケット１５に電源８が保持されることにより、図６に示すように、電気採暖布１００となる。図６では、採暖布１の一端部（上端部）に最も近い一対の収納部１６を選択し、この一対の収納部１６に発熱体７及び電源８を保持させた状態を示している。ほかにも、真ん中の一対の収納部１６を選択し、この一対の収納部１６に発熱体７及び電源８を保持させることも可能であるし、採暖布１の他端部（下端部）に最も近い一対の収納部１６を選択し、この一対の収納部１６に発熱体７及び電源８を保持させることも可能である。また、採暖布１において、何れかの発熱体収納ポケット１４に発熱体７が保持されると、保持された発熱体７が採暖布本体２と重なり、また、何れかの発熱体収納ポケット１４に対向する電源収納ポケット１５に電源８が保持されると、保持された電源８が採暖布本体２と重なることとなる。
【００３７】
以上説明したように、本実施形態に係る採暖布１は、横長（略長方形状）の採暖布本体２と、採暖布本体２の上下方向（短手方向）の中間部よりも上側（一端部側）かつ左右方向（長手方向）の両側を互いに止め合わせる止め具２３と、発熱体７を着脱可能に収納する発熱体収納ポケット１４と、発熱体７にコード９を介して接続される電源８を着脱可能に収納する電源収納ポケット１５と、を備え、発熱体収納ポケット１４は、採暖布本体２の左右方向（長手方向）の中間部で採暖布本体２と重なる位置において、採暖布本体２の上下方向（短手方向）に並べて複数（本実施形態では３つ）配置され、電源収納ポケット１５は、発熱体収納ポケット１４と採暖布本体３の左右方向（長手方向）のいずれか一方の端部（本実施形態では左端部）との間の採暖布本体２と重なる位置に配置されている。
【００３８】
このように構成された本実施形態に係る採暖布１では、発熱体７を着脱可能に収納する発熱体収納ポケット１４が、採暖布本体２の左右方向（長手方向）の中間部で採暖布本体２と重なる位置において、採暖布本体２の上下方向（短手方向）に並べて複数（本実施形態では３つ）配置されている。また、電源収納ポケット１５は、発熱体収納ポケット１４と採暖布本体２の左右方向（長手方向）のいずれか一方の端部（本実施形態では左端部）との間の採暖布本体２と重なる位置に配置されている。従って、発熱体収納ポケット１４に発熱体７を収納するとともに、電源収納ポケット１５に電源８を収納して、電気採暖布１００とし、採暖布１を肩から掛け、所望の部位を選択的に温めることができる。また、採暖布を肩から掛けた状態で、発熱体７が背中の略中心に位置し、電源８が使用者の胸側（背中と反対側）に位置する。このように、発熱体７と電源８とが使用者を挟んで反対側に位置するため、バランスがよい。また、電源８が背中側にあると、肩などを動かした場合に、邪魔となるが、使用者の胸側に位置するため、邪魔にならない。このように、本発明の採暖布１は、肩から掛けて使用した場合に、使い勝手がよい。また、発熱体７において、ヒータ１０が左右方向（長手方向）の中心線から離間して設けられているため、上記のように使用した場合に、背骨にヒータ１０が接触せず、ヒータ１０が圧迫されない。このため、ヒータ１０が故障することを防止することができる。
【００３９】
また、採暖布本体２の一方の面を覆うカバー３をさらに備え、採暖布本体２とカバー３とが、互いの周縁の少なくとも一部において結合されており、複数の発熱体収納ポケット１４と電源収納ポケット１５は、カバー３の採暖布本体２と対向する面に設けられている。従って、発熱体収納ポケット１４に収納した発熱体７が発熱体収納ポケット１４から出た場合でも、発熱体７は採暖布本体２とカバー３の間に位置するため、発熱体７が採暖布１から落ちることを防止することができる。また、電源収納ポケット１５に収納した電源８が電源収納ポケット１５から出た場合でも、電源８は採暖布本体２とカバー３の間に位置するため、電源８が採暖布１から落ちることを防止することができる。また、発熱体７、電源８、及びコード９が採暖布本体２とカバー３との間にあるため、見栄えが良い。また、発熱体７及び電源８はカバー３により覆われているため、凹凸のある発熱体７及び電源８付近でも、平坦な外観となり、見栄えが良い。
【００４０】
また、採暖布本体２とカバー３とが、互いの周縁の全周にわたって結合されており、カバー３には、複数の発熱体収納ポケット１４と重なる領域と電源収納ポケット１５の間に切れ目１９が形成されているとともに、切れ目１９を開閉可能とするスライドファスナー２０が取り付けられている。従って、発熱体７及び電源８の着脱作業、並びに、発熱体７及び電源８を収納するポケットの変更（入れ替え）作業をこの切れ目１９を介して容易に行うことができるようになる。また、カバー３には切れ目１９を開閉可能とするスライドファスナー２０が取り付けられているので、前記着脱作業及び前記変更作業を行うとき以外には切れ目１９を閉じておくようにすれば、採暖布１使用時に使用者から発熱体７及び／又は電源８が見えてしまうといった美観を損なう事態が生じることがない。
【００４１】
また、電源収納ポケット１５は、採暖布本体２の上下方向（短手方向）に並べて少なくとも２以上配置されている。従って、発熱体収納ポケット１４に発熱体７を収納するとともに、電源収納ポケット１５に電源８を収納して、採暖布１の採暖布本体２が使用者の背中の略中心となるよう、肩から掛け、所望の位置の電源収納ポケット１５を選択して電源８を収納させることができ、使い勝手が良い。より具体的には、電源収納ポケット１５が、採暖布本体２の上下方向（短手方向）に並べて少なくとも２以上配置されているので、使用者が採暖布本体２を肩から掛けた状態で、胸元付近の上部側または胸元から離れた下部側の所望位置を選択して、好みに応じて不快感を軽減することができる。
【００４２】
また、発熱体収納ポケット１４及び電源収納ポケット１５は、同数（本実施形態では３つ）配置され、発熱体収納ポケット１４の開口１４ａと電源収納ポケット１５の開口１５ａとがスライドファスナー２０を挟んで互いに向き合った一対の収納部１６を構成している。従って、発熱体７及び電源８の着脱が容易であるとともに、発熱体７及び電源８が一対の収納部１６に収納された状態で、コード９をおおよそ直線状に短くすることができ、コード９が取り扱いやすい。
【００４３】
また、採暖布本体２の上下方向（短手方向）において、採暖布本体２の上端部（一端部）に最も近い一対の収納部１６と採暖布本体２の上端部（一端部）との間の長さＬ１は、採暖布本体２の下端部（他端部）に最も近い一対の収納部１６と採暖布本体２の上端部（他端部）との間の長さＬ２よりも長い。従って、使用者が肩から採暖布を掛けると、最も頭に近い発熱体収納ポケット１４に発熱体７を収納した場合に、頭から発熱体の距離があるため、首筋を局所的に温めて不快感を抱かせることなく、効果的に背筋が発熱体により温められる。
【００４４】
また、発熱体収納ポケット１４の開口１４ａを開閉可能とするボタン１７と、電源収納ポケット１５の開口１５ａを開閉可能とする面ファスナー１８と、を備えている。従って、発熱体収納ポケット１４の開口１４ａを開いて、発熱体収納ポケット１４に発熱体７を保持させ、発熱体収納ポケット１４の開口１４ａを閉じれば、発熱体収納ポケット１４から発熱体７が出ることが防止される。また、電源収納ポケット１５の開口１５ａを開いて、電源収納ポケット１５に電源８を保持させ、電源収納ポケット１５を閉じれば、電源収納ポケット１５から電源８が出ることが防止される。
【００４５】
また、電源収納ポケット１５は、発熱体収納ポケット１４と採暖布本体２の左右方向（長手方向）のいずれか一方の端部（本実施形態では左端部）との中間部よりもいずれか一方の端部側（本実施形態では左端部側）の採暖布本体２と重なる位置に配置されている。従って、発熱体収納ポケット１４に発熱体７を収納するとともに、電源収納ポケット１５に電源８を収納して、採暖布１の採暖布本体２が使用者の背中の略中心となるよう、肩から掛けて使用した場合に、発熱体７が背中の略中心に位置し、電源８が使用者の胸側（背中と反対側）に確実に位置させることができる。
【００４６】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４７】
上述の実施形態においては、電源収納ポケット１５は、発熱体収納ポケット１４と同数（３つ）配置されているが、図７に示すように、発熱体収納ポケット１４と同数でなくてもよい。ここでは、発熱体収納ポケット１４が３つで、電源収納ポケット１５が２つの例を示しており、発熱体収納ポケット１４と電源収納ポケット１５とが一対の収納部１６を構成していない。また、上述の実施形態においては、電源収納ポケット１５は、発熱体収納ポケット１４と採暖布本体２の左右方向（長手方向）のいずれか一方の端部（上述の実施形態では左端部）との間の採暖布本体２と重なる位置において、採暖布本体２の上下方向（短手方向）に並べて２個配置されているが、図７に示すように、１の電源収納ポケット１５が、発熱体収納ポケット１４と採暖布本体２の左右方向（長手方向）のいずれか一方の端部（左端部）との間の採暖布本体２と重なる位置に配置され、１の電源ポケット１５が、発熱体収納ポケット１４と採暖布本体２の左右方向（長手方向）の他方の端部（右端部）との間の採暖布本体２と重なる位置に配置されるようにしてもよい。図７においては、下端部に最も近い発熱体収納ポケット１４の開口と電源保持ポケット１５の開口とが互いに向き合っており、また、上端部に最も近い発熱体収納ポケット１４の開口と電源保持ポケット１５の開口とが互いに向き合っている。また、上述の実施形態においては、電源保持ポケット１５は、少なくとも２以上配置されているが、１つであってもよい。なお、図７に示すように、コード９が長い場合は、互いに向き合っていない発熱体収納ポケット１４と電源保持ポケット１５に、発熱体７と電源８を収納することも可能である。この場合、少なくとも左右方向（長手方向）の両端を含む複数個所においてカバー３に固定されたテープ２４（隣接する固定個所間のテープ２４の左右方向（長手方向）への距離がコード９の直径よりも大きい）をカバー３の表面に設け、コード９が垂れないように、テープ２４とカバー３との間にコード９を挿通させるようにすることが好ましい。
【００４８】
また、上述の実施形態では、発熱体収納ポケット１４及び電源収納ポケット１５は、カバー３の採暖布本体２と対向する面（表面）に設けられているが、カバー３を備えず、採暖布本体２の裏面に、発熱体収納ポケット１４及び電源収納ポケット１５が設けられてもよい。
【００４９】
また、上述の実施形態では、発熱体収納ポケット１４の開口１４ａと電源収納ポケット１５の開口１５とが切れ目１９を挟んで互いに向き合っているが、互いに向き合っていなくてもよい。
【００５０】
また、上述の実施形態では、発熱体収納ポケット１４と電源収納ポケット１５とを結ぶ方向である対向方向における位置が互いに同じとなるように互いに平行に配置されているが、対向方向における位置が互いに同じでなくてもよく、また、互いに平行でなくてもよい。
【００５１】
また、上述の実施形態においては、採暖布本体２の上下方向（短手方向）において、採暖布本体２の上端部（一端部）に最も近い一対の収納部１６と採暖布本体２の上端部（一端部）との間の長さＬ１は、採暖布本体２の下端部（他端部）に最も近い一対の収納部１６と採暖布本体２の下端部（他端部）との間の長さＬ２よりも長くなっているが、同じであってもよい。
【００５２】
また、上述の実施形態においては、３つの一対の収納部１６が、等間隔に配置されているが、等間隔でなくてもよい。また、一対の収納部１６の個数は、２つ、又は、４つ以上であってもよい。
【００５３】
また、上述の実施形態においては、発熱体収納ポケット１４の開口１４ａを開閉可能とするボタン１７と、電源収納ポケット１５の開口１５ａを開閉可能とする面ファスナー１８と、を備えているが、これらを備えていなくてもよい。また、発熱体収納ポケット１４の開口１４ａを面ファスナーにより開閉可能としてもよいし、電源収納ポケット１５の開口１５ａをボタンにより開閉可能としてもよい。
【００５４】
また、上述の実施形態においては、止め具２３は、ボタン４とボタンループ５と備え、採暖布本体２の上下方向（短手方向）の中間部よりも上側（一端部側）かつ左右方向（長手方向）の両側を互いに止め合わせるようになっているが、これに限らず、例えば、クリップで止め具を構成し、採暖布本体２の上下方向（短手方向）の中間部よりも上側（一端部側）かつ左右方向（長手方向）の両側を互いに止め合わせるようにしてもよい。
【００５５】
また、上述の実施形態においては、採暖布１が肩掛けである場合について説明したが、採暖布１を肩掛けとしてではなく、膝にかけて使用したり、採暖布１上に座って身体を温めるように使用したりすることも可能である。
【符号の説明】
【００５６】
１  採暖布
２  採暖布本体
３  カバー
４  ボタン
５  ボタンループ
７  発熱体
８  電源
９  コード
１４  発熱体保持ポケット
１４ａ  開口
１５  電源保持ポケット
１５ａ  開口
１６  一対の収納部
１７  ボタン（第１開閉部材）
１８  面ファスナー（第２開閉部材）
１９  切れ目
２０  スライドファスナー（連結部材）
２３  止め具
１００  電気採暖布
【図１】
2014012906.tif 000003
【図２】
2014012906.tif 000004
【図３】
2014012906.tif 000005
【図４】
2014012906.tif 000006
【図５】
2014012906.tif 000007
【図６】
2014012906.tif 000008
【図７】
2014012906.tif 000009